(57)【要約】【課題】  時計本体の主面に沿った占有面積を最低限の大きさに抑え得る電池電極端子部材及びこれを備えた電子時計を提供すること【解決手段】  電子時計１の電池電極端子部材５１，５３は全体として細長い金属製の板バネからなり、時計本体２の主面に対して実質的に直角に時計本体２の機枠１４，１０に装着・支持される基体部５１と、該基体部５１の一端から延設され電池５の電極５ｂの周面部に弾性的に押付けられる電池電極接点端子部５３とを有する。基体部５１は、時計本体の機枠１４，１０の突起部１１ｊ，１１ｊ及び１１ｋ，１１ｋ間に又は溝部内に挟まれて保持される。【選択図】  図１
2006184237.tif 000002
【特許請求の範囲】
【請求項１】
全体として細長い金属製の板バネからなり、
時計本体の主面に対して実質的に直角に時計本体の機枠に装着・支持される基体部と、
該基体部の一端から延設され電池の電極の周面部に弾性的に押付けられる電池電極接点端子部と
を有する電池電極端子部材。
【請求項２】
前記基体部が前記時計本体の機枠の突起部間に又は溝部に挟まれて支持されるように構成された請求項１に記載の電池電極端子部材。
【請求項３】
請求項１又は２に記載の前記電池電極端子部材を備えた電子時計。
【請求項４】
発振器の筐体に対して弾性的に押付けられる発振器筐体押え部が基体部の他端から延設されている請求項３に記載の電子時計。
【請求項５】
リセットレバーに対して非リセット位置からリセット位置への偏倚力を及ぼすリセットレバー偏倚バネ部が、前記基体部の幅方向の一端縁から延設されている請求項３又は４に記載の電子時計。
【請求項６】
巻真の大径のソロバン玉状部に隣接した小径部に弾性的に係合され巻真の出し入れの際にソロバン玉状部によって弾性変形されてソロバン玉状部の通過を許容する巻真位置決め係合部が、基体部の幅方向の一端縁から延設されている請求項３から５までのいずれか一つの項に記載の電子時計。
【発明の詳細な説明】
【技術分野】
【０００１】
本発明は、電池の正極に圧接される電池プラス端子の如き電池電極端子部材及びこれを備えた電子時計に係る。
【背景技術】
【０００２】
針式腕時計のムーブメントにおいて電池から時計用ＩＣ（集積回路）に給電するために、従来は、時計本体の主面に平行に延びる基体部を備えた金属板に枝状部を形成すると共に該枝状部の基部を時計本体の厚さ方向に曲げ加工して該枝状部をその主面が時計本体の主面に対して直角になる状態で延設させて電池の電極に弾性的に押付けていた。
【０００３】
しかしながら、このような金属板の形態の電池プラス端子では、基体部を、時計本体の機枠に固定するために、ねじ締めやカシメやフック止めを行っている。この固定に際して、基体部を安定に固定するために時計本体の主面の延在方向に比較的大きい面積を要するだけでなく、部品のレイアウトが制限され易い。また、厚さ方向に曲げるだけでなく厚さ方向折曲部分の先端部を別の方向に折り曲げる等、方向の異なる折曲線に沿って多段に曲げる必要が生じるので、金型も複雑になり易い。
【特許文献１】特開２０００−８１４９１号公報（図１７等）
【発明の開示】
【発明が解決しようとする課題】
【０００４】
本発明は、前記した点に鑑みなされたものであって、その目的とするところは、時計本体の主面に沿った占有面積を最低限の大きさに抑え得る電池電極端子部材及びこれを備えた電子時計を提供することにある。
【課題を解決するための手段】
【０００５】
本発明の電池電極端子部材は、前記目的を達成すべく、全体として細長い金属製の板バネからなり、時計本体の主面に対して実質的に直角に時計本体の機枠に装着・支持される基体部と、該基体部の一端から延設され電池の電極の周面部に弾性的に押付けられる電池電極接点端子部とを有する。
【０００６】
本発明の電池電極端子部材では、全体として細長い金属製の板バネが時計本体の主面に対して実質的に直角に時計本体の機枠に装着・支持される基体部を備えるので、基体部が時計本体の主面に沿う方向において占める面積が最低限に抑えられ得る。また、本発明の本発明の電池電極端子部材では、全体として細長い金属製の板バネが基体部の一端から延設され電池の電極の周面部に弾性的に押付けられる電池電極接点端子部を備えるので、折曲があっても最低限に抑えられ得るから、その製造も容易に且つ低コストで行われ得る。
【０００７】
本発明の電池電極端子部材では、先端部を折り曲げる場合でも、典型的には、９０度以下の角度範囲で、一箇所又は複数箇所を同一方向に又は平行な折曲線に沿って折り曲げればすむので、その製造も低コストで容易に行われ得る。
【０００８】
本発明の電池電極端子部材では、典型的には、基体部が時計本体の機枠の突起部間に又は溝部に挟まれて支持される。この場合、支持に要する領域を最低限にした状態で、電池電極端子部材が支持され得る。突起部は、対になって基体部の被保持部を挟むように対向していても、ジグザグに配置されていてもよい。突起部は、機枠自体と一体的に形成されても、ピンなどが機枠本体に植設されて形成されてもよい。溝部についても同様である。ここで、溝部とは、その両側壁が基体部の長手方向に沿ってある程度以上の長さにわたって延在しているものをいう。一方、突起部は、基体部の対応面を点接触（幅方向に見れば栓接触）に近い状態で支えるものをいう。突起部の横断面形状は、典型的には、むすび状の三角形であるけれども、円形など他の形状でもよい。
【０００９】
ここで、板バネ構造体の基体部が時計本体の機枠の突起部間に又は溝部に挟まれて直接保持されるようになっていても、時計本体の機枠の突起部間に又は溝部に挟まれた状態では遊嵌状態で、電池電極接点端子部が電池の電極の周面部に弾性的に押付けられて初めて、基体部が機枠の突起部や溝部の側壁に弾性的に押付けられて支持される（保持される）ようになっていてもよい。
【００１０】
突起部の突出端や溝部を与える突部の突出端は、典型的には、該突起部や該突部が形成された機枠部（例えば、地板又は輪列受）に対して時計の厚さ方向に対向する別の機枠部（例えば、輪列受又は地板）に形成された開口に嵌合されて強固に支えられる。これにより、時計の厚さ方向においても、基体部を動作に必要な隙間を残した状態で両側から位置決めし得る。
【００１１】
本発明の電子時計は、上述のような電池電極端子部材を備える。
【００１２】
本発明の電子時計では、好ましくは、発振器の筐体に対して弾性的に押付けられる発振器筐体押え部が基体部の他端から延設されている。この場合、電池電極端子部材が発振器筐体押え手段としても機能し得る。
【００１３】
また、本発明の電子時計では、好ましくは、リセットレバーに対して非リセット位置からリセット位置への偏倚力を及ぼすリセットレバー偏倚バネ部が、基体部の幅方向の一端縁から延設されている。この場合、電池電極端子部材がリセットレバーのリセット手段としても機能し得る。また、リセットレバーとは別体のリセットレバー偏倚バネ部が、リセットレバーに対して実際上垂直な方向に延在してリセットレバーのバネ受部に係合され得るので、バネ部の形状を単純化しても所望の偏倚力を確実に得ることが可能になる。また、リセットレバーを実際上剛体状に形成し得るので、安定に動作するリセットレバーが低コストで確実に得られ易い。
【００１４】
更に、本発明の電子時計では、好ましくは、巻真の大径のソロバン玉状部に隣接した小径部に弾性的に係合され巻真の出し入れの際にソロバン玉状部によって弾性変形されてソロバン玉状部の通過を許容する巻真位置決め係合部が、基体部の幅方向の一端縁から延設されている。この場合、電池電極端子部材が巻真を位置決めすると共に巻真の出し入れに対してクリック感を与える巻真位置決め手段としても機能し得る。
【発明を実施するための最良の形態】
【００１５】
次に、本発明の好ましい一実施の形態を添付図面に示した好ましい一実施例に基づいて説明する。
【実施例】
【００１６】
電子時計１の時計本体２は、機枠を構成する地板１０を備える。以下では、説明の簡明化のために、地板１０に固定した三次元直交座標系を採る。ここで、巻真２０の引出し方向Ａ１（３時側）をＸ方向とし、図１において右方向（１２時側）をＹ方向、図面に垂直に図の奥の方向をＺ方向とする。Ｚ方向は、文字板１２（図２参照）のある側に一致する。ここで、ＸＹ平面は、時計本体２の主面と平行な面であり、Ｚ軸の方向は、時計本体２の主面に対して垂直な方向である。図１及び図２において、Ｃは、時計本体２の輪列機構３につながった時刻表示針１３（即ち、時針１３ａ，分針１３ｂ，秒針１３ｃ）の回転中心軸線である。ここで、時計本体２は、時計１からケースなどの外装部分を除いた部分を指す。
【００１７】
地板１０は、該地板１０の−Ｚ側表面１０ａの夫々の位置に位置決めされるべき各種時計要素の配設・支持に適する凹凸や表面形状を備える。地板１０は、３時側の位置に巻真案内孔１１ａを備えた側壁１１（図２）を有すると共に、−Ｚ側表面１０ａに突設された水晶発振器筐体（水晶缶）受突起部１１ｆ，１１ｄ、水晶発振器筐体（水晶缶）端面受側壁部１１ｃ及びフレキシブル回路基板載置用突出部１１ｇ並びに該表面１０ａに形成されたつづみ車受容凹部１１ｈや側壁１１等により周壁の一部が規定された電池収容凹部１１ｂ等を備える。なお、地板１０の表面１０ａのうち中心軸線Ｃからみて時針のほぼ５時の方向には、更に、リセットピン３２が植設されている。リセットピン３２の位置は、後述する回路基板３４などの配置や形状次第では、他の位置でもよい。
【００１８】
図２に示したように、地板１０の巻真案内孔１１ａを貫通する巻真２０は、基端側の大径軸部２１に加えて、先端の角柱状係合軸部２２、中間の円柱状中径軸部２３、軸部２２，２３間の円柱状小径軸部２４、Ａ１，Ａ２方向の両側が小径軸部２５，２６で規定されたそろばん玉状部２７を備え、つづみ車２８に嵌合されている。中径穴部及び角筒状穴部を備えたつづみ車２８は、つづみ車受容凹部１１ｈ内に位置し、軸部２２，２４，２３の間において巻真２０に嵌合されている。巻真２０がＡ２方向に押込まれた０段位置（通常位置）にある場合には、つづみ車２８の基端側の中径穴部及び先端（奥）側の角筒状穴部が夫々巻真２０の中径軸部２３及び小径軸部２４に回転自在に嵌合される。一方、巻真２０がＡ１方向に一段引出された一段目位置（引出位置）にある場合には、地板１０のつづみ車２８の角筒状穴部が巻真２０の先端の角柱状係合軸部２２に係合されて、巻真２０のＢ方向の回転に応じてつづみ車２８が回転される。つづみ車２８は先端の歯車部２８ａで八番歯車１５ｆに噛合されている。
【００１９】
輪列機構３は、図１及び図２からわかるように、地板１０と該地板１０に対して−Ｚ方向に間隔をおいて位置する輪列受１４の部分との間に位置する表側輪列１５と地板１０の＋Ｚ側に位置する裏側輪列１６とを含む。輪列受１４は、地板１０と同様に機枠の一部とみなし得る。表側輪列１５は、六番車１５ａ、五番車１５ｂ、四番車（秒車）１５ｃ、三番車１５ｄ、二番車（分車）１５ｅ、及び八番歯車１５ｆを含み、裏側輪列１６は、筒車（時車）１６ａ及び八番かな１６ｂを含む。八番車（日の裏車）１７の軸ないし胴は、地板１０をＺ方向に貫通して延び、表輪列１５の側に八番歯車１５ｆが設けられ、裏側輪列１６の側に八番かな１６ｂが設けられている。三番車１５ｄの軸のうち地板１０に近接した側の軸部は、後述するリセットレバー６０の軸受孔６６ａに嵌合される。
【００２０】
図１において、地板１０の表面１０ａのうち巻真２０とは反対側すなわち９時側の位置には、Ｙ方向に細長いモータ４が配置されている。図１において、巻真２０及びモータ４の右側においては、周壁の一部が規定された電池収容凹部１１ｂに、ボタン型電池５が配置される。また、図１において、巻真２０及びモータ４の左側には、時計用ＩＣ（集積回路）３３が実装されたフレキシブル回路基板３４及び水晶発振器３０を含む回路ブロック６が配置されている。基板３４には、所望に応じて、ＩＣ３３以外の回路部品も実装される。
【００２１】
モータ４は、ステータ４ａ及びコイルブロック４ｂ並びにロータ４ｃを含み、ロータ４ｃの軸には、六番車１５ａを構成するロータかなが形成されている。モータ４のコイルブロック４ｂは、巻線の延設部４ｄでフレキシブル回路基板３４に電気的に接続されている。
【００２２】
３６ａ，３６ｂは、ステータ４ａとコイルブロック４ｂとを機械的に一体的に結合する連結部である。連結部３６ａのところでは回路基板３４がモータ４に固定され、連結部３６ｂのところでは電池マイナス端子７がモータ４に固定されている。連結部３６ａ，３６ｂは中央に開口を備え、該開口に地板１０から突設された突起が嵌合され熱カシメされて、モータ４や回路基板３４等の全体が地板１０に固定されている。電池マイナス端子７は、地板１０の表面１０ａに沿って、電池５の＋Ｚ側に延び、地板１０の表面１０ａ上に載置される電池５の端面の負極５ａ（図３）に接触する。電池マイナス端子７は、モータ４（例えば、ステータ部材４ａやコイルブロック４ｂの巻線に対して絶縁された巻芯等）を介して回路基板３４に電気的に接続され、回路基板３４に電池５のマイナス電位を与える。すなわち、モータ４の部品の導電性部分自体が、電池マイナス端子７と協働して、電源のマイナス側の給電線になっている。
【００２３】
モータ４のロータ４ｃの軸部の−Ｚ側端部は輪列受１４に回転自在に支持される。モータ４の大径のコイルブロック４ｂは、−Ｚ方向に突出し、輪列受１４の対応する切欠ないし開口（図示せず）内に遊嵌されても、輪列受１４で押えられてもよい。同様に、−Ｚ方向に高さの高い電池５も、輪列受１４の対応する電池着脱用開口（図示せず）内に遊嵌される。電池５の寿命の範囲内での使用を前提とする場合、電池５を輪列受１４で押さえつけるようにしてもよい。
【００２４】
回路ブロック６のフレキシブル回路基板３４の＋Ｚ側表面のうち時計本体２の中心側側縁には、リセットピン接続用導電パッド部３５ａが形成され、フレキシブル回路基板３４が、図示の例では該基板３４と実際上同一の平面形状の地板突出部１１ｇ上に載置された際、導電パッド部３５ａがリセットピン３２の−Ｚ側端面（頂面）に丁度当接する。なお、突出部１１ｇは、フレキシブル回路基板３４を所望の安定性で支え得る限り、当然ながら、その形状は、フレキシブル回路基板３４とは異なっていてもよい。なお、輪列受１４を取付けた状態では、輪列受１４が回路基板３４の導電パッド部３５ａをリセットピン３２の頂面に押付ける。但し、リセットピン３２と回路基板３４との電気的接続は、異なる形態で実現されてもよい。
【００２５】
回路ブロック６には、更に、導電パターン３５ｂ，３５ｃ，３５ｄが形成され、導電パターン３５ｄには接続端子片部３５ｅが取付けられている。導電パターン３５ｄは、時計用ＩＣ３３の電源電圧（電位）Ｖｄｄの給電用端子に接続され、導電パターン３５ｂ，３５ｃは、水晶発振器３０の端子に接続されている。導電パターン３５ｂ，３５ｃには、水晶発振器３０の一対の接続ピンなし接続端子部３０ａ，３０ｂが、半田付により、電気接続され固定されている。基端で導電パターン３５ｄに電気接続された接続端子片部３５ｅは、地板１０の表面１０ａに沿って延び、該地板１０の表面１０ａ上に載置された水晶発振器３０の筐体としての導電性の缶すなわち水晶缶３１の基端部３１ａの周面の＋Ｚ側部分に接触する。なお、水晶発振器本体３１の基部側端面３１ｄは、地板１０のフレキシブル回路基板載置突起部１１ｇの近傍にある水晶発振器筐体（水晶缶）端面受側壁部（側面部）１１ｃに当接している。壁部１１ｃは、突起部１１ｇの一部でもよい。
【００２６】
地板１０には、係合部１９が形成され、該係合部１９には、電池電極端子部材としての電池プラス端子として働く板バネ構造体５０が係止されている。板バネ構造体５０の主面ないし表面は、図１及び図２に加えて図３及び図４に示したように、ＸＹ平面に対して直角である。すなわち、板バネ構造体５０の各部の主面に対する法線は、主面の向きにかかわらず、ＸＹ平面と平行な面内に位置する。
【００２７】
板バネ構造体５０は、図１、図３及び図４からわかるように、時計本体２に沿って、概ねＹ方向に延在した基体部５１を有する。板バネ基体部５１は、Ｙ方向に延びた中央部５２と、中央部５２の＋Ｙ方向端部から該中央部５２に対して鈍角で斜め方向に−Ｘ側に延び先端が電池５のプラス電極５ｂをなす周面に弾性的に圧接される電池電極接点端子部としての電池プラス電極接点端子部５３と、中央部５２の−Ｙ方向端部から該中央部５２に対して鈍角で斜め方向に−Ｘ側に延び先端が水晶発振器筐体としての水晶缶３１の先端部３１ｂの側縁３１ｃに弾性的に圧接される発振器筐体押え部としての水晶缶接点端子部５４とを備える。中央部５２には、突出部５２ｂが形成されている。ここで、電池電極端子部材は、基体部５１と電池プラス電極接点端子部５３とからなる。板バネ構造体５０は、例えば、厚さが０．１５〜０．２ｍｍ程度のステンレス合金板からなる。勿論、厚さや材料は異なっていてもよい。
【００２８】
電池プラス電極接点端子部５３は、中央部５２の＋Ｙ方向端部から該中央部５２に対して鈍角で斜め方向に−Ｘ側に延びた傾斜腕部５３ａと、該傾斜腕部５３ａの先端から更に鈍角で斜めに−Ｘ側に延びた電池プラス電極接点部５３ｂとを含み、電池プラス電極接点部５３ｂの先端部で電池プラス電極５ｂに圧接される。接点部５３ｂの中央部５２に対する折曲角は、全体として、９０度よりも小さい。この例では、中央部５２は、＋Ｙ方向端部の近傍においてＺ方向に幅広になっており、電池プラス電極接点端子部５３は、−Ｚ側の側縁５３ｃが部分的に切欠かれている。なお、電池ブラス電極接点端子部５３の先端の接点部５３ｂは、−Ｚ方向に立上り該立上り端部から更に前方に真直ぐ延びた先端部５３ｄを備えることにより（図３）、電池プラス電極５ｂに対して広い接触領域を確保している。
【００２９】
水晶缶接点端子部５４は、細い腕部５４ａと該腕部５４ａの先端部にＺ方向に幅広に形成された水晶缶接点部５４ｂとを備え、該接点部５４ｂで水晶缶３１の先端部３１ｂの側縁３１ｃに圧接される。
【００３０】
従って、板バネ構造体５０は、電池プラス電極接点端子部５３で電池５のプラス電極５ｂに接触し、水晶缶接点端子部５４で水晶缶３１に接触することにより、接続端子片部３５ｅ及び給電線としての導電パターン３５ｄを介して、ＩＣ３３の電源端子に、電池５のプラス電極５ｂの電圧（電位）を直接与える電池プラス端子として機能する。給電機構９は、板バネ構造体５０と接続端子片部３５ｅとからなる。
【００３１】
なお、以上のような構造・形状を有する板バネ構造体５０は、中央部５２に対して、全体として９０度以下で且つ一方向の折曲げによって形成されるので、その折曲金型の形成及び折曲動作が最低限のコスト及び時間で行われ得る。
【００３２】
この場合、水晶缶３１自体が導電路として利用されるので、電池５の正極５ｂと回路基板３４の電源端子３５ｄとを直接的に電池プラス端子で接続する場合と比較して、実際上水晶缶３１の長さ分だけ板バネ構造体５０の長さを短くし得る。なお、輪列機構部３のところに電池プラス端子を延設しようとすると、各種部品のレイアウトの自由度が低下するだけでなく、電池プラス端子を複雑な平面形状や複雑な折曲形状にすることが必要になってしまうのに対して、この場合、板バネ構造体５０は、比較的単純な形状で足りる。
【００３３】
図１及び図３に示したように、板バネ構造体５０は、中央部５２で地板１０の係合部１９を構成する対向突起部対１１ｊ，１１ｊ間及び突起部対１１ｋ，１１ｋ間に嵌込まれている。対向突起部対１１ｊ，１１ｊ及び１１ｋ，１１ｋは、夫々、板バネ構造体５０の中央部５２のうち間に介在する部分に実質的に線接触して、該部分を支持する。突起部対１１ｊ，１１ｊ及び１１ｋ，１１ｋは、地板１０の母材と一体成形される。但し、所望ならば、その一部又は全部を地板１０の本体に植設されるピンで形成してもよい。場合によっては、突起部対１１ｊ，１１ｊ及び１１ｋ，１１ｋのうち一方の突起部対はなくてもよい。但し、その場合、典型的には、巻真２０の近傍位置が選択される。なお、この例の場合、突起部対１１ｊ，１１ｊは、後述する巻真位置決めバネ部５７の腕部５７ａ，５７ｂのＸ方向変位を規制して、バネ部５７の位置決めの働きを確実にする役割も果たしている。
【００３４】
なお、輪列受１４には、開口部１８ｇ，１８ｈが形成され、開口部１８ｇには、板バネ構造体５０の突出部５２ｂ及び地板１０の突起部対１１ｊ，１１ｊの先端部が挿入・嵌合されている。一方、開口部１８ｈには、板バネ構造体５０を間に挟んだ突起部対１１ｋ，１１ｋの先端部が挿入・嵌合されている。これにより、時計の厚さ方向Ｚにおいて、動作に必要な隙間を残した状態で基体部を両側から位置決めし得る。また、所望ならば、板バネ構造体５０のうち、突起部対１１ｊ，１１ｊ間及び突起部対１１ｋ，１１ｋ間に位置する部分を強固且つ安定に保持することも可能になる。
【００３５】
なお、係合部１９としては、図５に示したように、間に溝１１ｍ，１１ｎを備える突出部１１ｔ，１１ｕであってもよい。この場合、板バネ構造体５０は、中央部５２で地板１０の係合部１９を構成する突出部１１ｔ，１１ｕの溝１１ｍ，１１ｎに差込まれ、突出部１１ｔ，１１ｕの溝１１ｍ，１１ｎの側壁に面接触して保持される。但し、その場合、典型的には、巻真２０の近傍位置が選択される。
【００３６】
また、係合部としては、図６に示したように、複数の突起部１１ｐ，１１ｑ，１１ｒ，１１ｓをジグザグに形成しておいて、板バネ構造体５０の一部の部分（例えば中央部分５２）を該突起部１１ｐ，１１ｑ，１１ｒ，１１ｓの間を縫うように該突起部１１ｐ，１１ｑ，１１ｒ，１１ｓ間に実質的に直線的に挿設することによって、該突起部１１ｐ，１１ｑ，１１ｒ，１１ｓによって支持されるようにしてもよい。この場合にも、突起部１１ｐ，１１ｑ，１１ｒ，１１ｓの先端部を輪列受１４の開口部に嵌合して支持するようにしてもよい。この場合にも、ジグザグに配置される突起部の位置や数は異なっていてもよい。
【００３７】
以上においては、係合部１９が地板に形成される例について説明したけれども、係合部は、地板１０に形成される代わりに、輪列受１４に形成されてもよく、また、係合部１９の一部が地板に形成され残りの一部が輪列受１４に形成されてもよい。
【００３８】
板バネ構造体５０は、更に、＋Ｚ側の側縁部から突出したリセットレバー偏倚バネ部５６と、巻真係合バネ部５７とを有する。巻真係合バネ部５７は、基体部５１から＋Ｚ方向に延びた基部側腕部５７ａと、該基部側腕部５７ａの延在端から＋Ｙ方向に延びた先端側腕部５７ｂと、該腕部５７ｂの先端から延設された円弧状係合部５７ｃとを含み、該円弧状係合部５７ｃで巻真２０のソロバン玉状部２７の近傍の小径部２５又は２６に弾性的に係合される。
【００３９】
この板バネ構造体５０は、全体としてＹ方向に延び、Ｚ方向に幅を備えた板バネからなるので、Ｘ−Ｙ平面内で占有する面積が最低限に抑えられ得る。また、板バネ構造体５０を、突起部対１１ｊ，１１ｊ及び１１ｋ，１１ｋの間や溝部１１ｍ，１１ｎ内やジグザグ配置の突起部１１ｐ，１１ｑ，１１ｒ，１１ｓの間等に挿設するだけで保持され得、ネジ止めやカシメ等の固定構造を要しないので、該保持に要するスペースも最低限に抑えられ得る。
【００４０】
なお、以上において、板バネ構造体５０の基体部５１の中央部５２は、突起部対１１ｊ，１１ｊ及び１１ｋ，１１ｋの間や溝部１１ｍ，１１ｎ内やジグザグ配置の突起部１１ｐ，１１ｑ，１１ｒ，１１ｓの間において直接保持されても、その代わりに、板バネ構造体５０の基体部５１の中央部５２が、突起部対１１ｊ，１１ｊ及び１１ｋ，１１ｋの間や溝部１１ｍ，１１ｎ内やジグザグ配置の突起部１１ｐ，１１ｑ，１１ｒ，１１ｓの間等に挿設された状態では、板バネ構造体５０（の基体部５１の中央部５２）が遊嵌状態であって、板バネ構造体５０の両端の板バネ状端子部５３，５４を電池５の正極５ｂの周面及び水晶発振器３０の筐体３１の側縁先端３１ｂの側縁の両方又は一方（即ち、電池５の正極５ｂの周面若しくは水晶発振器３０の筐体３１の側縁先端３１ｂの側縁）にあてることによって初めて、板バネ構造体５０のの基体部５１の中央部５２が突起部対１１ｊ，１１ｊ及び１１ｋ，１１ｋの間や溝部１１ｍ，１１ｎの側壁やジグザグ配置の突起部１１ｐ，１１ｑ，１１ｒ，１１ｓ等に押付けられて、保持されるようになっていてもよい。
【００４１】
板バネ構造体５０は、図１及び図３からわかるように、中央部５２で地板１０の係合部１９に係合されて該地板１０によって支持され、＋Ｙ方向端部に位置する電池プラス電極接点端子部５３が電池５の正極５ｂの周面にＤ方向に弾性的に圧接され、−Ｙ方向端部に位置する水晶缶接点端子部５４が、地板１０の水晶発振器筐体受突起部１１ｆ，１１ｄ及び水晶発振器筐体（水晶缶）端面受側壁部（側面部）１１ｃで支持された水晶缶３１の先端部３１ｂの側縁３１ｃにＥ方向に弾性的に圧接される。従って、板バネ構造体５０は、地板１０の係合部１９で支えられて、電池５及び水晶発振器３０を弾性的に押え付け得るから、サイズが他の部品と比較して大きく載置安定性が悪くなり易い電池５及び水晶発振器３０の両方を同時に安定に位置決め固定し得る。また、板バネ構造体５０は、一端で電池５に大きな接触圧で接触すると共に他端で水晶発振器３０の水晶缶３１に大きな接触圧で接触しているので、電池５のプラス電位を水晶缶３１に確実に伝え得る。しかも、水晶缶３１は、接点端子片部３５ｅ及び導電パターン３５ｄを介して回路ブロック６のＩＣ３３の電源電圧給電端子に接続されているので、水晶発振器３０の筐体すなわち水晶缶３１を電源電圧の供給に直接利用し得る。水晶発振器筐体部ないし水晶缶３１は電子時計１の基体部２の中で大きな体積ないし面積を占めるので、電池プラス端子の長さを最低限に抑え得る。
【００４２】
バネ構造体５０は、また、巻真係合バネ部５７の円弧状係合部５７ｃにおいて、巻真２０のソロバン玉状部２７の両側の小径部２５，２６に係合され、巻真２０に対してＦ１方向の弾性力を及ぼしているので、小径部２５や２６で該バネ部５７に弾性的に係合された巻真２０をＡ１，Ａ２方向に位置ずれすることなく安定に、弾性的に保持し巻真２０を位置決めし得る。また、バネ部５７と小径部２５や２６との係合が弾性的な係合であるので、例えば、巻真２０が０段位置にありバネ部５７の円弧状係合部５７ｃが巻真２０の小径部２５に係合されている際に該巻真２０をＡ１方向に引出す場合、小径部２５よりも大径のソロバン玉状部２７によってバネ部５７の円弧状係合部５７ｃをＦ２方向に押し下げるように弾性変形させて該ソロバン玉状部２７をＡ１方向に移動させることになる。ソロバン玉状部２７がバネ部５７をＡ１方向に通過すると、バネ部５７の円弧状係合部５７ｃが弾性復元力により再度Ｆ１方向に変形されて小径部２６に嵌り込む。これにより、巻真２０のＡ１方向の引出しに際して、バネ構造体５０のバネ部５７がソロバン玉状部２７と協働してクリック感を与え得る。巻真２０を巻真１段目から巻真０段目にＡ２方向に押込む際にも、バネ部５７の係合部５７ｃが、小径部２６からソロバン玉状部２７の最大径部の通過を許容するように変形された後で小径部２５に嵌り込むことになるので、同様なクリック感が得られる。
【００４３】
なお、以上のようなバネ部５７の支持に際して、バネ構造体５０は、地板１０の係合部１９によって保持されているだけでなく、電池５及び水晶缶３１を両端部５３，５４で弾性的に押える反作用として電池５及び水晶缶３１により両端バネ部５３，５４を介して支えられることになるから、安定に保持された状態で、巻真２０の支持が安定化され得る。
【００４４】
なお、所望ならば、地板１０の表面１０ａに−Ｚ方向に突出する突部を形成しておくか上述の係合部１９の底部に支持突部を設けておいて、バネ構造体５０の中央部５２の＋Ｚ側の側縁部５２ｄ（図３）を、該突部で支えるようにしておいてもよい。その場合、中央部５２の＋Ｚ方向への変位を確実に禁止し得るので、バネ部５７が確実にクリック感を付与し得る。
【００４５】
電子時計１は、更に、リセットレバー本体部としてのリセットレバー６０を備える。リセットレバー６０は、この例では、全体としてタツノオトシゴのような形状の板金打抜き体からなる板状部６０ａと、該板状部６０ａを地板１０に対して中央部の回転中心軸線Ｃ１のまわりで回転可能に支える軸部６０ｂとを備える。軸部６０ｂが地板１０の軸受穴に回転自在に支持されていても、軸部６０ｂに対して、板状部６０ａが回転自在であってもよい。
【００４６】
リセットレバー板状部６０ａは、回転中心軸線Ｃ１を含む領域に拡がった中心ボス部ないし肥大部６１から巻真２０の先端のところまで延びたＬ字状腕部６２と、ボス部６１からＸ方向に突出しバネ部５６に係合するバネ受部ないし係合突起部６３と、ボス部６１からほぼ−Ｘ方向に延びた上下方向腕部６４と、該上下方向腕部６４のやや斜めに延びた延在端からほぼ−Ｙ方向に延びた横方向腕部６５と、該腕部６５の先端に形成された三番車軸受用肥大部ないしボス部６６と、該ボス部６６からリセットピン３２のところまで斜めに延びたリセット端子部６７とを有する。以上において、ボス部６１並びにＬ字状腕部６２及び係合突起部６３が入力側レバー部６８を構成し、腕部６４，６５，６７及びボス部６６が出力側レバー部６９を構成する。また、以上において、リセットレバー装置８は、リセットレバー６０と、板バネ構造体５０のバネ部５６とからなる。
【００４７】
巻真２０がＡ２方向に押込まれた巻真０段目Ｐ０にある場合、リセットレバー６０のＬ字状腕部６２の先端側の位置検出腕部６２ａの側縁６２ｂが巻真２０の先端面２９よりＡ２方向に押される。Ｌ字状腕部６２は、巻真２０に過大なＡ１方向反力が働くのを避けるべく、典型的には多少撓み得るけれども、板バネ構造体５０のリセットレバー偏倚バネ部５６よりもはるかに高い剛性を有し、バネ部５６と比較する限り、実質的に剛体とみなしてもよい。
【００４８】
巻真２０がＡ２方向に押込まれた巻真０段目Ｐ０にある場合、リセットレバー６０のバネ受部ないし係合突起部６３が板バネ構造体５０のリセットレバー偏倚バネ部５６の先端部５６ａの＋Ｙ側の側縁５６ｂに対して−Ｙ方向に押付けられ、リセットレバー偏倚バネ部５６の先端部５６ａをＧ１方向にずらすように偏倚バネ部５６を弾性変形させる（図３の実線）。
【００４９】
従って、巻真２０が巻真０段目にある場合、リセットレバー６０は、図１において実線で示した非リセット位置Ｈ１を採る。即ち、巻真２０が巻真０段目にある場合、入力側レバー部６８が、巻真２０の先端面２９によるＡ２方向の押圧力の作用下でＪ１方向に回動変位され、板バネ構造体５０のバネ部５６をＧ１方向に押す。リセットレバー６０の出力側レバー部６９もＪ１方向に回動変位され、リセット端子部６７は、その先端の側縁６７ａがリセットピン３２から離れた非リセット位置Ｋ１を採る。なお、リセットレバー６０が非リセット位置Ｈ１を採る場合、三番車支持軸受部６６ａが係合位置Ｌ１を採り、三番車１５ｄが二番車１５ｅと噛合して四番車１５ｃの回転を二番車１５ｅに伝達する。
【００５０】
一方、巻真２０がＡ１方向に引出されて巻真１段目位置Ｐ１を採ると、巻真２０の先端面２９がＡ１方向に移動して、リセットレバー６０のＬ字状腕部６２の位置検出腕部６２ａの側縁６２ｂから離れる。入力側レバー部６８に対するＪ１方向の回動変位力の解除に伴い、入力側レバー部６８は、板バネ構造体５０のバネ部５６が突起部６３に及ぼすＧ２方向の弾性復元力により、中心軸線Ｃ１のまわりで、Ｊ２方向に回動される。従って、出力側レバー部６９もＪ２方向に回動変位されて、リセット端子部６７が先端の側縁部６７ａでリセットピン３２に押付けられる。即ち、巻真２０がＡ１方向に引出されて巻真１段目位置Ｐ１を採ると、リセットレバー６０が図１において想像線で示したリセット位置Ｈ２を採り、リセット端子部６７がリセットピン３２に当接するリセット位置Ｋ２に設定される。その結果、回路ブロック６からモータ４への駆動用信号の供給が停止され、モータ４の回転が停止され、秒針１３ｃの回転が停止される。なお、リセットレバー６０がリセット位置Ｋ２を採ると、三番車支持軸受部６６ａは、非係合位置Ｌ２を採り、三番車１５ｄと二番車１５ｅとの噛合が解除され、二番車（分車）１５ｅの回転が四番車（秒車）１５ｃに伝達されなくなる。その結果、針回しのための巻真２０の回転が、つづみ車２８から日の裏車１７を介して筒車（時車）１６ａ及び二番車（分車）１５ｅに伝達されても、四番車（秒車）１５ｃには回転が伝達されないので、秒針１３ｃを止めた状態で分針１３ｂ及び時針１３ａの針合せが行われ得る。なお、三番車支持軸受部６６ａによる変位により、三番車１５ｄと二番車１５ｅとの噛合が解除されるようにする代わりに、三番車１５ｄと四番車１５ｃとの噛合が解除されるようになっていてもよい。
【図面の簡単な説明】
【００５１】
【図１】本発明の好ましい一実施例の電池電極端子部材としての板バネ構造体を備えた本発明の好ましい一実施例の電子時計の本体部の平面説明図（輪列受を取除いた状態）。
【図２】図１のＩＩ−ＩＩ線断面説明図。
【図３】板バネ構造体の配設を示したもので、図１のＩＩＩ−ＩＩＩ線断面説明図。
【図４】図１の板バネ構造体の斜視説明図。
【図５】電子時計の一変形例についての図１と同様な平面説明図。
【図６】電子時計の別の一変形例についての図１と同様な平面説明図。
【符号の説明】
【００５２】
１  電子時計
２  時計本体
３  輪列機構
４  モータ    ４ａ  ステータ    ４ｂ  コイルブロック    ４ｃ  ロータ
５  ボタン型電池    ５ａ  負極    ５ｂ  正極
７  電池マイナス端子
８  リセットレバー装置
９  給電機構
１０  地板    １０ａ  地板表面
１１  側壁    １１ａ  巻真案内孔    １１ｂ  電池収容凹部    １１ｃ  水晶発振器筐体（水晶缶）端面受側壁部（側面部）    １１ｄ，１１ｆ  水晶発振器筐体受突起部    １１ｇ  フレキシブル回路基板載置突起部    １１ｈ  つづみ車受容凹部    １１ｊ，１１ｋ，１１ｐ，１１ｑ，１１ｒ，１１ｓ  突起部    １１ｍ，１１ｎ  溝部    １１ｔ，１１ｕ  突出部
１３  時刻表示針    １３ａ  時針    １３ｂ  分針    １３ｃ  秒針
１４  輪列受
１５  表側輪列    １５ａ  六番車    １５ｂ  五番車    １５ｃ  四番車    １５ｄ  三番車    １５ｅ  二番車    １５ｆ  八番歯車（日の裏歯車）
１６  裏側輪列    １６ａ  筒車（時車）    １６ｂ  八番かな（日の裏かな）
１７  八番車（日の裏車）
１８ｇ，１８ｈ  開口部
１９  係合部
２０  巻真
２１  大径軸部
２２  角柱状係合軸部
２３  中径軸部
２４  小径軸部
２５，２６  小径軸部
２７  ソロバン玉状部
２８  つづみ車
２９  先端面
３０  水晶発振器    ３０ａ，３０ｂ  接続端子部
３１  筐体（水晶缶）    ３１ａ  基端側部分    ３１ｂ  先端部    ３１ｃ  側縁
３２  リセットピン
３３  時計用ＩＣ（集積回路）
３４  フレキシブル回路基板
３５ａ  リセットピン接続用導電パッド部    ３５，３５ｃ，３５ｄ  導電パターン
３５ｅ  接続端子片部
３６ａ，３６ｂ  連結部
５０  板バネ構造体
５１  板バネ基体部
５２  中央部    ５２ａ  中心領域    ５２ｂ  突出部    ５２ｄ  側縁
５３  電池プラス電極接点端子部    ５３ａ  傾斜端部    ５３ｂ  接点部
５４，５４Ｗ  水晶缶接点端子部    ５４ａ  腕部    ５４ｂ，５４ｂＷ  接点部
５６  リセットレバー偏倚バネ部
５７  巻真係合バネ部    ５７ａ  基部側腕部    ５７ｂ  先端側腕部    ５７ｃ  円弧状係合部
６０  リセットレバー    ６０ａ  板状部    ６０ｂ  軸部
６１  中心ボス部（肥大部）
６２  Ｌ字状腕部    ６２ａ  位置検出腕部    ６２ｂ  側縁
６３  係合突起部
６４  上下方向腕部
６５  横方向腕部
６６  ボス部（肥大部）    ６６ａ  三番車軸受部
６７  リセット端子部
６８  入力側腕部
６９  出力側腕部
７１，７２  ピン
７３  庇状受部
Ａ１，Ａ２  巻真出入方向
Ｂ  巻真回転方向
Ｃ，Ｃ１  回転中心軸線
Ｄ，Ｅ  板バネ構造体の両端のバネ部の力の方向
Ｆ１，Ｆ２  巻真係合バネ部の力又は変位の方向
Ｇ１，Ｇ２  リセットレバー偏倚バネ部の力又は変位の方向
Ｈ１，Ｈ２  リセットレバーの非リセット位置及びリセット位置
Ｊ１，Ｊ２  リセットレバーの回動方向
Ｋ１，Ｋ２  リセットレバーのリセット端子の非リセット位置及びリセット位置
Ｌ１，Ｌ２  リセットレバーの三番車軸受部の非リセット位置及びリセット位置
Ｐ０  巻真０段目
Ｐ１  巻真１段目
Ｘ，Ｙ，Ｚ  方向
【図１】
2006184237.tif 000003
【図２】
2006184237.tif 000004
【図３】
2006184237.tif 000005
【図４】
2006184237.tif 000006
【図５】
2006184237.tif 000007
【図６】
2006184237.tif 000008